(57)【要約】  空気調和機の転倒時に流れ出た水が電気部品にかかることをより確実に防止する。加湿機は、水を貯留する貯水トレイ（４）と、空気の流れを生成するシロッコファン（２２）と、シロッコファン（２２）によって外部から取り込まれた空気をシロッコファン（２２）の周囲に沿って貯水トレイ（４）に導く送風路（２１７）と、を備える。送風路（２１７）は、シロッコファン（２２）を取り囲むように設けられた内周壁（２１７ｂ）を有する。内周壁（２１７ｂ）は、貯水トレイ（４）に最も近い側が最も高く、かつ送風路（２１７）において空気が導かれる方向の逆方向に沿って低くなるように形成されている。
2020032110.tif 000002
【特許請求の範囲】
【請求項１】
水を貯留する貯水トレイと、
空気の流れを生成するファンと、
前記ファンによって外部から取り込まれた空気を前記ファンの周囲に沿って前記貯水トレイに導く送風路と、を備え、
前記送風路は、前記ファンを取り囲むように設けられた壁体を有し、
前記壁体は、前記貯水トレイに最も近い側が最も高く、かつ前記送風路において空気が導かれる方向の逆方向に沿って低くなるように形成されていることを特徴とする空気調和機。
【請求項２】
空気調和機が正常に配置された状態で垂下して前記送風路の空気排出口を開く一方、空気調和機が転倒した状態で前記空気排出口を閉じるように回動可能に設けられた開閉部材をさらに備えていることを特徴とする請求項１に記載の空気調和機。
【請求項３】
空気調和機が正常に配置された状態で前記送風路の所定位置において前記送風路を開く位置と、空気調和機が転倒した状態で前記所定位置において前記送風路を閉じる位置との間を回動するように設けられた開閉部材をさらに備えていることを特徴とする請求項１に記載の空気調和機。
【請求項４】
空気調和機の転倒時に前記貯水トレイから前記送風路に浸入する水の勢いおよび量を抑制する水流抑制部材をさらに備えていることを特徴とする請求項１から３のいずれか１項に記載の空気調和機。
【請求項５】
前記貯水トレイに貯留された水に浮かぶ板部材をさらに備え、
前記板部材は、空気調和機の転倒時に前記送風路の空気排出口へ移動可能となる位置に配置されていることを特徴とする請求項１から４のいずれか１項に記載の空気調和機。
【請求項６】
前記貯水トレイは、加湿に用いるすべての水または除湿で生じたすべての水を貯留することを特徴とする請求項１から５のいずれか１項に記載の空気調和機。
【発明の詳細な説明】
【技術分野】
【０００１】
本発明は、転倒時の漏水から電気部品を保護する構造を有する空気調和機に関する。
【背景技術】
【０００２】
加湿機は、蒸発させる水を貯えるためのトレイを内部に備えている。トレイは、水を蒸発させるために上方が開放されている。このため、加湿機が転倒すると、トレイから水が流れ出てしまう。流れ出た水が加湿機の内部に設けられた電気部品にかかると、電気部品を損傷させる虞がある。このような転倒時の漏水対策として、様々な改良が試みられている。【０００３】
例えば、特許文献１には、筺体が加湿ユニットに対してヒータユニットが配置された側に転倒した際にも、加湿ユニットの水がこぼれる範囲外に結線部が位置されていることが開示されている。これにより、装置が転倒した際にも、加湿ユニットの水がヒータユニットの結線部にかかるのを未然に防止できる。
【先行技術文献】
【特許文献】
【０００４】
【特許文献１】日本国公開特許公報「特開２０１２−３４８８７号（２０１２年２月２３日公開）」
【発明の概要】
【発明が解決しようとする課題】
【０００５】
しかしながら、トレイに貯えられる水の量が多い加湿機、トレイと電気部品との間の距離が近い加湿機などでは、特許文献１に開示された構造を採用しても、転倒時に電気部品に水がかかることが避けられない可能性が高い。【０００６】
本発明の一態様は、空気調和機の転倒時に流れ出た水が電気部品にかかることをより確実に防止することを目的とする。
【課題を解決するための手段】
【０００７】
上記の課題を解決するために、本発明の一態様に係る空気調和機は、水を貯留する貯水トレイと、空気の流れを生成するファンと、前記ファンによって外部から取り込まれた空気を前記ファンの周囲に沿って前記貯水トレイに導く送風路と、を備え、前記送風路が、前記ファンを取り囲むように設けられた壁体を有し、前記壁体が、前記貯水トレイに最も近い側が最も高く、かつ前記送風路において空気が導かれる方向の逆方向に沿って低くなるように形成されている。
【発明の効果】
【０００８】
本発明の一態様によれば、空気調和機の転倒時に流れ出た水が電気部品にかかることをより確実に防止することできる。
【図面の簡単な説明】
【０００９】
【図１】本発明の実施形態１〜５に係る加湿機の外観構成を示す斜視図である。
【図２】上記加湿機の外観構成を示す正面図である。
【図３】上記加湿機の内部構造を示す分解斜視図である。
【図４】上記加湿機の内部構造を示す部分断面図である。
【図５】上記加湿機の他の内部構造を示す部分断面図である。
【図６】本発明の実施形態１に係る加湿機における電気稼働部に含まれる保持フレームの構造を示す斜視図である。
【図７】本発明の実施形態２に係る加湿機が通常に配置されているときの電気稼働部における保持フレームの状態を示す図であり、（ａ）は斜視図であり、（ｂ）は下面図である。
【図８】本発明の実施形態２に係る加湿機が転倒したときの電気稼働部における保持フレームの状態を示す図であり、（ａ）は斜視図であり、（ｂ）は下面図である。
【図９】本発明の実施形態３に係る加湿機が通常に配置されているときの電気稼働部における保持フレームの状態を示す側面図である。
【図１０】実施形態３に係る加湿機が転倒したときの電気稼働部における保持フレームの状態を示す側面図である。
【図１１】本発明の実施形態４に係る加湿機における保持フレームの構造を示す側面図である。
【図１２】（ａ）は本発明の実施形態５に係る加湿機における貯水トレイの構成を示す平面図であり、（ｂ）は（ａ）のＡ−Ａ線矢視断面図である。
【発明を実施するための形態】
【００１０】
〔加湿機〕
本発明の実施形態１〜５に共通して使用する加湿機１００の基本構成について、図１〜図５に基づいて説明する。
【００１１】
図１は、本発明の実施形態１〜５に係る加湿機１００の外観構成を示す斜視図である。図２は、加湿機１００の外観構成を示す正面図である。図３は、加湿機の内部構造を示す分解斜視図である。図４は、加湿機１００の内部構造を示す部分断面図である。図５は、加湿機１００の他の内部構造を示す部分断面図である。
【００１２】
図１〜図３に示すように、加湿機１００（空気調和機）は、筐体１と、電気稼働部２と、上部カバー３と、貯水トレイ４とを備えている。なお、以降の説明において、図２に示す筐体１の右側を右部と称し、筐体１の左側を左部と称する。
【００１３】
筐体１において、電気稼働部２は上側に配置され、貯水トレイ４は下側に配置されている。筐体１は、電気稼働部２および貯水トレイ４の側部を覆うように形成されている。また、図２に示すように、筐体１における一方の上部側面には、外部の空気を取り入れる吸気口１１が設けられている。図４に示すように、吸気口１１は、グリル１２によって通気可能となるように覆われている。
【００１４】
電気稼働部２は、電気によって稼働する部分であり、保持フレーム２１、シロッコファン２２（図３）、モータ２３（図４および図５）、ヒータ２４（図４および図５）などを有している。
【００１５】
保持フレーム２１は、シロッコファン２２（ファン）だけでなく、電気部品であるモータ２３、ヒータ２４など保持するフレームである。
【００１６】
保持フレーム２１の上端部において、左部側には、加湿された空気を吹き出す吹出口２１１が設けられ、右部側には、貯水トレイ４に供給する水を流し込む給水口２１２が設けられている。また、保持フレーム２１の右部側には、給水溝２１３が設けられている。給水溝２１３は、給水口２１２から貯水トレイ４の右部側の上端に至る範囲に上下方向に形成されている。このように構成される給水溝２１３は、筐体１における右部側の内壁とで管状の給水路を形成することによって、給水口２１２から貯水トレイ４に水を導く。
【００１７】
図３に示すように、保持フレーム２１の底部において、右部側には、シロッコファン２２によって送られた空気を貯水トレイ４へ放出する通気口２１４（空気排出口）が設けられている。通気口２１４は、方形に形成されており、グリル２１５によって通気可能となるように覆われている。
【００１８】
保持フレーム２１における上端部と下端部との間には、モータ保持部２１６と、送風路２１７とが設けられている。
【００１９】
モータ保持部２１６は、シロッコファン２２を回転駆動するモータ２３を固定するために設けられている。モータ保持部２１６には、ヒータ２４も保持されている。
【００２０】
シロッコファン２２は、貯水トレイ４の上方で筐体１内において空気の流れを生成するために設けられている。ヒータ２４は、シロッコファン２２の後背部側における吸気口１１の付近に配置されている。このヒータ２４は、吸気口１１を通じて外部から取り込まれた空気を加熱するために設けられている。
【００２１】
送風路２１７は、吸気口１１から取り込まれた空気をシロッコファン２２の周囲に沿って貯水トレイ４に導く通路である。送風路２１７は、外周壁２１７ａ、内周壁２１７ｂ（壁体）および側壁２１７ｃを有している。送風路２１７のさらに詳細な構成については、後述する実施形態１において詳しく説明する。
【００２２】
図１に示すように、上部カバー３は、筐体１の上端の開口部に配置されている。上部カバー３は、ディフューザ３１と、案内板３２と、操作・表示パネル３３とを有している。
【００２３】
ディフューザ３１は、保持フレーム２１の吹出口２１１から吹き出された空気を拡散させるために設けられている。ディフューザ３１は、上部カバー３に着脱可能に設けられている。
【００２４】
案内板３２は、上方から注ぎ込まれる水を保持フレーム２１の給水口２１２に案内するために設けられている。このため、案内板３２は、給水口２１２の側に下り傾斜となるように形成されている。
【００２５】
操作・表示パネル３３は、ユーザが操作を行うための各種の操作ボタン（運転ボタンなど）と、加湿機１００の動作状態（運転ＯＮ・ＯＦＦ、タイマー動作など）を表示するランプとを含んでいる。
【００２６】
貯水トレイ４は、上述の給水路を介して供給された水を貯留するためのトレイであり、加湿に用いるすべての水を貯留するように大容量に構成されている。貯水トレイ４には、貯えた水を気化するための気化フィルタ５（図３）が配置されている。また、貯水トレイ４は、筐体１に着脱可能に設けられており、引き出し形式で筐体１に装着される。貯水トレイ４には、貯水トレイ４を持ち運びするための把手４３が設けられている。把手４３は、貯水トレイ４の両側壁に回動可能に取り付けられている。
【００２７】
上記のように構成される加湿機１００においては、図３にて矢印で示す方向に回転するシロッコファン２２によって送風力が発生する。この送風力によって、筐体１の吸気口１１から取り込まれた空気が、ヒータ２４によって加熱された後、送風路２１７および通気口２１４を通じて貯水トレイ４に導かれる。貯水トレイ４においては、気化フィルタ５が、貯えられた水を全体に吸い上げている。貯水トレイ４に導かれた空気は、気化フィルタ５を通過することにより、水分を含んだ状態で放出される。気化フィルタ５に吹き込まれる空気が暖められているため、気化フィルタ５による気化効率を高めることができる。
【００２８】
気化フィルタ５を通過した水分を含む空気は、シロッコファン２２の背後側の通路（図示せず）を通り抜けて吹出口２１１に送り出され、ディフューザ３１を介して外部に放出される。
【００２９】
なお、加湿機１００におけるファンは、シロッコファン２２には限定されない。ファンとしては、ターボファン、クロスフローファン、軸流ファン、斜流ファンなどを用いてもよい。
【００３０】
また、加湿機１００は給水タンクを用いないタンクレス式である。しかしながら、加湿機１００は、給水タンクを備えて、給水タンクから貯水トレイ４に水を供給するタンク式であってもよい。給水タンクを備える加湿機１００において、貯水トレイ４の容量は小さくてよい。
【００３１】
また、加湿機１００において、上部に電気稼働部２が配置され、下部に貯水トレイ４が配置される。しかしながら、電気稼働部２および貯水トレイ４の配置は上記の構成に限らず、加湿機１００において、上部に貯水トレイ４が配置され、下部に電気稼働部２が配置されてもよい。このように構成された加湿機１００にも、後述する実施形態１〜５の構成を適用することが可能である。
【００３２】
上部に貯水トレイ４が配置されるとともに下部に電気稼働部２が配置された構成は、例えば、下部の電気稼働部２のシロッコファン２２から上部の貯水トレイ４に向けて吹き出した空気を、貯水トレイ４の側方に設けられた通風路を通じて貯水トレイ４の上方に導き、気化フィルタ５によって水分を含ませた後に、筐体１の上端から放出するようにしてもよい。このような構成は、あくまでも一例であって、他にも採り得る構成があることを付言しておく。
【００３３】
また、以降に説明する実施形態１〜５は、加湿機１００に限らず、それぞれ空気調和機である、除湿機、除湿機能および／または加湿機能を有する空気清浄機などにも適用可能である。除湿機は、除湿の結果生じた水を貯留するために貯水トレイ４と同様な貯水トレイを備えている。また、この貯水トレイは、除湿で生じたすべての水を貯留するように大容量に構成されている。
【００３４】
除湿機は、コンプレッサ式、デシカント式、ハイブリッド式などの方式があり、それぞれの方式で、取り込んだ空気から水分を除去する除湿部（蒸発器、熱交換器など）を備えるが、筐体内部で空気の流れを生じるためにファンも備える。このため、除湿機は、上述の加湿機１００と同様なファンと貯水トレイとの配置構造を採ることもある。
【００３５】
〔実施形態１〕
本発明の実施形態１について、図３、図４および図６に基づいて説明すれば、以下のとおりである。
【００３６】
図６は、本実施形態に係る加湿機１００における電気稼働部２に含まれる保持フレーム２１の構造を示す斜視図である。
【００３７】
図６に示すように、モータ保持部２１６は、内周壁２１７ｂの内周側に設けられている。モータ保持部２１６は、ボス２１６ａと、中央保持部２１６ｂとを有している。
【００３８】
ボス２１６ａは、モータ２３をネジ固定するために、中央保持部２１６ｂを中心に、間隔をおいた３箇所に設けられている。また、モータ２３は、図示しないモータアングルを介して中央保持部２１６ｂに固定されている。シロッコファン２２は、モータ２３の回転軸に締結されている。
【００３９】
図６に示すように、保持フレーム２１における送風路２１７は、上述のように、外周壁２１７ａ、内周壁２１７ｂおよび側壁２１７ｃを有している。
【００４０】
図３および図４にも示すように、内周壁２１７ｂは、シロッコファン２２を取り囲むように、通気口２１４における左部側の端部の付近から概ね３００°の範囲で円形状に形成されている。内周壁２１７ｂが形成される範囲は、上記の範囲に限定されない。
【００４１】
内周壁２１７ｂは、貯水トレイ４に最も近い側である、通気口２１４の左部側端部の付近の一端部が最も高くなるように形成されている。また、内周壁２１７ｂは、図４において矢印にて示す空気が導かれる方向（図３に矢印にて示すシロッコファン２２の回転方向）の逆方向に沿って徐々に低くなるように形成されている。
【００４２】
図４に示すように、外周壁２１７ａは、内周壁２１７ｂの外周側と間隔をおいて、通気口２１４における右部側の端部から通気口２１４における左部側の端部の付近まで形成されている。外周壁２１７ａと内周壁２１７ｂとの間の間隔は、始端部で最も狭く、かつ通気口２１４に最も近い位置で最も広く、空気が導かれる方向に沿って徐々に広くなる。
【００４３】
側壁２１７ｃは、外周壁２１７ａおよび内周壁２１７ｂにおける筐体１の中心側の端部の間に設けられている。側壁２１７ｃは、鉛直方向の直線と前後方向の直線とを含む平面上に形成されている。
【００４４】
送風路２１７は、空気が導かれる方向に沿って幅が徐々に広がるように形成されることにより、空気の流れを整流するスクロールケーシングを構成している。
【００４５】
上記のように構成される本実施形態の加湿機１００は、何からの外力を受けて転倒する可能性がある。加湿機１００は、左右方向よりも幅が狭い前後方向に倒れやすい。加湿機１００が転倒すると、貯水トレイ４内の水が流れ出る。
【００４６】
加湿機１００がシロッコファン２２を下側にして転倒すると、貯水トレイ４から流れ出た水が通気口２１４を介して送風路２１７内へ浸入する。この状態では、シロッコファン２２が下側に位置しているので、浸入した水は、シロッコファン２２に対向する筐体１の内壁面を流れる。したがって、この状態では、シロッコファン２２の背後（上側）に配置された電気部品の側に水は浸入しない。
【００４７】
一方、加湿機１００がシロッコファン２２を上側にして転倒すると、貯水トレイ４から流れ出た水が通気口２１４を介して送風路２１７内へ浸入する。この状態では、シロッコファン２２が上側に位置しているので、浸入した水は、送風路２１７内に流れ込む。しかしながら、内周壁２１７ｂによって、シロッコファン２２側への水の浸入が大幅に抑制される。
【００４８】
特に、転倒の衝撃によって通気口２１４の付近では水が大きく波打つ。これに対し、内周壁２１７ｂの通気口２１４付近が最も高くなるように形成されている。これにより、大きく波打った水がシロッコファン２２側へ浸入することを抑制することができる。
【００４９】
したがって、加湿機１００が転倒しても、シロッコファン２２側からシロッコファン２２の背後に配置された電気部品へは、ほとんど水が浸入しない。よって、加湿機１００の転倒時に溢れた水による電気部品の損傷を防止することができる。
【００５０】
また、内周壁２１７ｂが、送風路２１７において空気が導かれる方向の逆方向に沿って低くなるように形成されているので、シロッコファン２２の送風性能の低下を抑制することができる。低い内周壁２１７ｂ（７〜８ｍｍ程度の高さ）は、シロッコファン２２の送風性能を高めることができるので、好ましい。
【００５１】
〔実施形態２〕
本発明の実施形態２について、図７および図８に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００５２】
図７は、本実施形態に係る加湿機１００が通常に配置されているときの電気稼働部２における保持フレーム２１の状態を示す図であり、図７の（ａ）は斜視図であり、図７の（ｂ）は下面図である。図８は、本実施形態に係る加湿機１００が転倒したときの電気稼働部２における保持フレーム２１の状態を示す図であり、図８の（ａ）は斜視図であり、図８の（ｂ）は下面図である。
【００５３】
図７の（ａ）および（ｂ）に示すように、本実施形態における保持フレーム２１には、上述のグリル２１５に代えて複数のシャッタ２１８（開閉部材）が設けられている。
【００５４】
シャッタ２１８は、互いに平行に並ぶように通気口２１４に配置されている。シャッタ２１８は、細長い長方形を成す板状の部材であり、両端に軸が設けられている。シャッタ２１８は、両端の軸が保持フレーム２１において通気口２１４を形成する壁面に差し込まれることにより、当該壁面に回動可能に支持されている。
【００５５】
加湿機１００が正常に配置されている状態では、図７の（ａ）および（ｂ）に示すように、シャッタ２１８は垂下して通気口２１４を開く位置にある。また、シロッコファン２２が上側に位置するように加湿機１００が転倒した状態では、図８の（ａ）および（ｂ）に示すように、シャッタ２１８は通気口２１４を閉じるように回動する。
【００５６】
このように加湿機１００が転倒した状態では、シャッタ２１８が通気口２１４を閉じる。これにより、貯水トレイ４から流れ出た水が通気口２１４を通じて送風路２１７に浸入することを抑制することができる。
【００５７】
また、多数のシャッタ２１８を設けることで、より密に通気口２１４を閉じることができる。それゆえ、通気口２１４への水の浸入を大幅に少なくすることで、内周壁２１７ｂにおける通気口２１４付近の高さを低くすることができる。したがって、シロッコファン２２の送風性能の低下を抑制することができる。
【００５８】
なお、多数のシャッタ２１８に代えて、１枚の大きい板状のシャッタを通気口２１４に回動可能に設けてもよい。ただし、このような構成では、下方にシャッタが開閉する比較的大きい空間が必要であるだけでなく、シャッタ２１８のように通気口２１４を密に閉じることができない。したがって、多数のシャッタ２１８によって通気口２１４を閉じる構成が好ましいと言える。
【００５９】
〔実施形態３〕
本発明の実施形態３について、図９および図１０に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００６０】
図９は、本実施形態に係る加湿機１００が通常に配置されているときの電気稼働部２における保持フレーム２１の状態を示す側面図である。図１０は、本実施形態に係る加湿機１００が転倒したときの電気稼働部２における保持フレーム２１の状態を示す側面図である。
【００６１】
図９に示すように、本実施形態における保持フレーム２１は、さらにシャッタ２１８Ａ（開閉部材）を備えている。
【００６２】
シャッタ２１８Ａは、送風路２１７に配置された板状の部材である。図９に示すように、シャッタ２１８Ａが外周壁２１７ａに沿った位置にある（送風路２１７を開いた）状態で、シャッタ２１８Ａの可動側の端部は通気口２１４の近傍に位置する。また、シャッタ２１８Ａが送風路２１７を開いた状態で、シャッタ２１８Ａの支持側の端部は、外周壁２１７ａにおける通気口２１４よりも上流側の所定位置で軸１０を中心に回動可能となるように支持されている。
【００６３】
シャッタ２１８Ａの可動側の端部は、図１０に示すように、シャッタ２１８Ａが送風路２１７を閉じた状態で内周壁２１７ｂに沿うように、両面に対して傾斜する傾斜面を有している。
【００６４】
加湿機１００が正常に配置されている状態では、図９に示すように、シャッタ２１８Ａは送風路２１７を開く開位置にある。また、シロッコファン２２が上側に位置するように加湿機１００が転倒した状態では、図１０に示すように、シャッタ２１８Ａは、転倒時の衝撃で開位置から通気口２１４を閉じる閉位置まで回動する。シャッタ２１８Ａは、転倒時の衝撃によって閉位置まで回動しない場合でも、通気口２１４から流れ込む水の圧力で閉位置まで回動する。
【００６５】
このように加湿機１００が転倒した状態では、シャッタ２１８Ａが送風路２１７を閉じる。これにより、貯水トレイ４から流れ出た水が通気口２１４を通じて送風路２１７に浸入しても、シャッタ２１８Ａより先への水の浸入を大幅に抑制することができる。
【００６６】
また、シャッタ２１８Ａと内周壁２１７ｂとの隙間から僅かに水が浸入しても、その水の量は少ない。それゆえ、内周壁２１７ｂによってシロッコファン２２側への水の浸入を十分阻止することができる。
【００６７】
また、送風路２１７における水の浸入を防ぐために必要な部材が１つのシャッタ２１８Ａである。これにより、部品点数を少なくして、加湿機１００の価格上昇を抑えることができる。
【００６８】
〔実施形態４〕
本発明の実施形態４について、図１１に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００６９】
図１１は、本実施形態に係る加湿機１００における保持フレーム２１の構造を示す側面図である。
【００７０】
図１１に示すように、本実施形態における保持フレーム２１は、ハニカム構造２１９（水流抑制部材）を備えている。
【００７１】
ハニカム構造２１９は、内周壁２１７ｂの最も高さの低い部位より低い高さを有し、かつ正六角形の形状を成す壁状の基本構造が隙間なく並べられた構造である。ハニカム構造２１９は、側壁２１７ｃ上における通気口２１４付近から保持フレーム２１の上端付近までの範囲に設けられている。なお、ハニカム構造２１９を構成する基本構造は、隙間なく並べることができれば、正六角形以外の形状（正三角形、正方形など）であってもよい。
【００７２】
シロッコファン２２が上側に位置するように加湿機１００が転倒した状態では、貯水トレイ４から通気口２１４を通じて浸入した水は、ハニカム構造２１９の各基本構造の内部に溜め込まれる。それゆえ、ハニカム構造２１９において水流（水の勢いおよび量）が抑制されるので、送風路２１７の奥にまで水が浸入することをほぼ回避することができる。したがって、加湿機１００の転倒時において、より確実にシロッコファン２２側への浸入を防止することが可能になる。
【００７３】
なお、水流抑制部材としては、ハニカム構造２１９以外に、送風路２１７において間隔をおいて複数の仕切部材を設けてもよい。仕切部材は、例えば、ハニカム構造２１９と同程度の高さを有し、放射状（シロッコファン２２の中心から伸びる放射線上の位置）に配置されている。このような仕切部材によれば、仕切部材の間に水が溜め込まれるので、送風路２１７における水流を抑制することができる。
【００７４】
なお、本実施形態の構成を、上述の実施形態２または３の構成に適用してもよい。
【００７５】
〔実施形態５〕
本発明の実施形態５について、図１２に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００７６】
図１２の（ａ）は、本実施形態に係る加湿機１００における貯水トレイ４の構成を示す平面図である。図１２の（ｂ）は、図１２の（ａ）のＡ−Ａ線矢視断面図である。
【００７７】
図１２の（ａ）および（ｂ）に示すように、貯水トレイ４において、フロート６（板部材）が配置されている。フロート６は、貯水トレイ４に貯えられた水に浮くように、例えば発泡スチロールによって形成されている。フロート６は、後述する加湿機１００の転倒時に、通気口２１４側に移動可能となる位置に配置されている。
【００７８】
加湿機１００が正常に配置されている状態では、図１２の（ｂ）に示すように、フロート６は貯水トレイ４において水面上に浮いている。また、シロッコファン２２が上側に位置するように加湿機１００が転倒した状態では、貯水トレイ４が横転するため、フロート６は、貯水トレイ４から流れ出た水によって押されて、保持フレーム２１の底面における通気口２１４まで移動する。また、貯水トレイ４から水が流れ出ている間は、フロート６が水によって保持フレーム２１の底面に押さえ込まれている。これにより、フロート６が通気口２１４を閉じるので、通気口２１４から送風路２１７への水の浸入が抑制される。
【００７９】
なお、本実施形態の構成を、上述の実施形態２、３または４の構成に適用してもよい。
【００８０】
〔まとめ〕
本発明の態様１に係る空気調和機は、水を貯留する貯水トレイ４と、空気の流れを生成するファン（シロッコファン２２）と、前記ファンによって外部から取り込まれた空気を前記ファンの周囲に沿って前記貯水トレイ４に導く送風路２１７と、を備え、前記送風路２１７が、前記ファンを取り囲むように設けられた壁体（内周壁２１７ｂ）を有し、前記壁体が、前記貯水トレイ４に最も近い側が最も高く、かつ前記送風路２１７において空気が導かれる方向の逆方向に沿って低くなるように形成されている。
【００８１】
上記の構成によれば、空気調和機が転倒時したために貯水トレイからこぼれた水が送風路内へ浸入しても、壁体によって、ファンへの水の浸入が大幅に抑制される。特に、転倒の衝撃によって送風路における貯水トレイの付近では水が大きく波打つが、壁体が、貯水トレイに最も近い側が最も高くなるように形成されているので、このような水がファン側へ浸入することを抑制することができる。また、壁体が、送風路において空気が導かれる方向の逆方向に沿って低くなるように形成されているので、ファンの送風性能の低下を抑制することができる。
【００８２】
したがって、空気調和機が転倒しても、ファン側からファンの背後に配置された電気部品へは、ほとんど水が浸入しない。よって、空気調和機の転倒時に溢れた水による電気部品の損傷を防止することができる。
【００８３】
本発明の態様２に係る空気調和機は、上記態様１において、空気調和機が正常に配置された状態で垂下して前記送風路２１７の空気排出口（通気口２１４）を開く一方、空気調和機が転倒した状態で前記空気排出口を閉じるように回動可能に設けられた開閉部材（シャッタ２１８）をさらに備えていてもよい。
【００８４】
上記の構成によれば、空気調和機が転倒時したために貯水トレイから水がこぼれ出ても、空気排出口が開閉部材によって閉じられる。これにより、水が空気排出口を通じて送風路に浸入することを抑制することができる。
【００８５】
本発明の態様３に係る空気調和機は、上記態様１において、空気調和機が正常に配置された状態で前記送風路２１７の所定位置において前記送風路２１７を開く位置と、空気調和機が転倒した状態で前記所定位置において前記送風路２１７を閉じる位置との間を回動するように設けられた開閉部材（シャッタ２１８Ａ）をさらに備えていてもよい。
【００８６】
上記の構成によれば、空気調和機が転倒時したために貯水トレイから水がこぼれ出ても、送風路が所定位置において開閉部材によって閉じられる。これにより、水が送風路に浸入しても、開閉部材より先への水の浸入を大幅に抑制することができる。
【００８７】
本発明の態様４に係る空気調和機は、上記態様１から３のいずれかにおいて、空気調和機の転倒時に前記貯水トレイ４から前記送風路２１７に浸入する水の勢いおよび量を抑制する水流抑制部材（ハニカム構造２１９）をさらに備えていてもよい。
【００８８】
上記の構成によれば、空気調和機の転倒時に貯水トレイからこぼれ出た水が送風路に浸入しても、送風路の奥にまで浸入することをほぼ回避することができる。したがって、空気調和機の転倒時において、より確実にシロッコファン２２側への浸入を防止することが可能になる。
【００８９】
本発明の態様５に係る空気調和機は、上記態様１から４のいずれかにおいて、前記貯水トレイ４に貯留された水に浮かぶ板部材（フロート６）をさらに備え、前記板部材が、空気調和機の転倒時に前記送風路２１７の空気排出口へ移動可能となる位置に配置されていてもよい。
【００９０】
上記の構成によれば、板部材は、貯水トレイからこぼれた水によって押されて空気排出口まで移動する。また、貯水トレイから水が流れ出ている間は、板部材が水によって押されて空気排出口を閉じる。これにより、空気排出口から送風路への水の浸入を抑制することができる。
【００９１】
本発明の態様６に係る空気調和機は、上記態様１から５のいずれかにおいて、前記貯水トレイ４が加湿に用いるすべての水または除湿で生じたすべての水を貯留してもよい。
【００９２】
給水タンクを用いないで貯水トレイに大量の水を貯留する空気調和機の転倒時には、大量の水がファンの側に流れ込む。上記の構成によれば、上述のように、送風路への水の浸入または送風路における水の浸入の抑制を図ることによって、大量の水が貯水トレイから流れ出ても、ファン側への水の浸入を回避することができる。
【００９３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９４】
４  貯水トレイ
６  フロート（板部材）
２２  シロッコファン（ファン）
１００  加湿機（空気調和機）
２１４  通気口（空気排出口）
２１７  送風路
２１７ｂ  内周壁（壁体）
２１８，２１８Ａ  シャッタ（開閉部材）
２１９  ハニカム構造（水流抑制部材）
【図１】
2020032110.tif 000003
【図２】
2020032110.tif 000004
【図３】
2020032110.tif 000005
【図４】
2020032110.tif 000006
【図５】
2020032110.tif 000007
【図６】
2020032110.tif 000008
【図７】
2020032110.tif 000009
【図８】
2020032110.tif 000010
【図９】
2020032110.tif 000011
【図１０】
2020032110.tif 000012
【図１１】
2020032110.tif 000013
【図１２】
2020032110.tif 000014
【国際調査報告】
2020032110.tif 000015
2020032110.tif 000016
2020032110.tif 000017
2020032110.tif 000018